(57)【要約】      （修正有）【課題】用便排泄に伴う噴水式洗浄時の洗浄水の塩素及び塩素化合物を除去し、粘膜刺激の軽減、及び体内侵入塩素化合物の軽減を図り、健康を促進する。【解決手段】一般上水道中に含まれる塩素殺菌成分と有機化合物である、トリハロメタン等に代表される体内組織に害がある可能性のある成分の除去を図る目的で、高能率な脱塩素浄水装置を噴水洗浄式便座に付加する。塩素除去後の洗浄水は使用者の健康を損なう物は除去されているが殺菌効果を持たないため、新たに健康被害をもたらさない殺菌法として、洗浄水に殺菌効果と健康寄与に貢献するイオン混入法を用いる。【選択図】なし【特許請求の範囲】
【請求項１】
排便時糞便、小便等排泄終了後、その部位の清潔を保つために使用される噴水式洗浄装置に脱塩素機能および脱塩素化合物を主体とした浄水機能を有した装置。
【請求項２】
請求項１において浄水機能を実行するために、活性炭、ゼオライト、中和薬品、金属化合物、蒸留法、磁気回路法、光触媒、電気分解法等を用いて噴水式洗浄装置に脱塩素機能および脱塩素化合物を主体とした浄水機能を有した装置。
【請求項３】
請求項１および請求項２において、常時最適な脱塩素機能および脱塩素化合物を主体とした浄水機能を有するために、電気的或いは機構的な手法を用いて機能低下、交換時期を告知する機能を有した装置。
【請求項４】
請求項１および請求項２において、殺菌能力を失った洗浄水に銀、銅等の金属イオンを付加することにより殺菌作用を励起せしめるために、用いられる電気的手法および機構的手法を有した装置。
【請求項５】
請求項４において溶出イオン化濃度を定量とせしめるため、洗浄水ＰＨ、ＥＣを測定することにより、通電電圧或いは通電電流を制御する電子回路を有した装置。
【請求項６】
浄水後に殺菌装置と添加機構を備えた噴水洗浄式便座使用において、肛門周辺或いは女性においては外陰部等に噴出する洗浄水中にビタミン類および保湿目的等の添加剤の注入口を有した装置。
【発明の詳細な説明】
【０００１】
【発明が属する技術分野】
本発明は、浄水後に殺菌装置と添加機構を備えた噴水洗浄式便座に関するものである。
【０００２】
【従来の技術】
噴水式洗浄便座は用便後に肛門周辺或いは女性においては外陰部等の洗浄を実施することに主たる目的を置いているが、その目的部分は確実に粘膜を主体とする部分であり、温水化して噴水することが一般的である。
【０００３】
温水として噴水することは、温熱効果によって粘膜周辺の血流を促す効能は賛美すべき物である。しかしながら、日常水道水に塩素殺菌がされていることは、この充分な効能以上の害を粘膜刺激としていることも事実である。
【０００４】
周知のように粘膜は様々の化学物質の吸収効率がとても高い部位であり、また噴水を加温することにより、塩素化合物の温度上昇活性率１０度の温度上昇によって２倍になるとも言われる事を考えれば、水中有機物と塩素が反応して構成されるトリハロメタンを初めとする有害塩素系化合物を形成すれば、体内でも最も吸収効率のよい部分に高い圧力をかけて圧入と同等なことをしていた事となる。
【０００５】
水道水中に含まれる殺菌目的の塩素が次亜鉛素に変化した場合は、ビタミンＣの破壊、該当粘膜部位の細胞を構成するタンパク質は破壊され、粘膜構成の破壊、血流障害を引き起こす可能性を持っていた。
【０００６】
【発明が解決しようとする課題】
解決しようとする問題点は、用便排泄に伴う噴水式洗浄時における洗浄水中の塩素および塩素化合物を除去することにより、粘膜刺激の軽減、および体内進入塩素化合物の軽減を図る。
【０００７】
洗浄水中の塩素の消失に伴い殺菌能力を失った洗浄水に塩素以外方法を用いて肉体にとって、健康を促す目的に有効であり殺菌性を有した洗浄水を供給することを図る。
【０００８】
【課題を解決するための手段】
本発明は、一般上水道中に含まれる塩素殺菌成分と有機化合物である、トリハロメタン等に代表される体内組織に害がある可能性のある成分の除去を図る目的で、高能率な脱塩素浄水装置を噴水洗浄式便座に付加する事にある。
【０００９】
塩素除去後の洗浄水は使用者の健康を損なう物は除去されているが殺菌効果を持たないため、新たに健康被害をもたらさない殺菌法として、洗浄水に殺菌効果と健康寄与に貢献するイオン混入法を用いることによって、浄水後に殺菌装置と添加機構を備えた噴水洗浄式便座とした。
【発明の実施の形態】
高能率な脱塩素浄水装置を噴水洗浄式便座に付加する事により、排便、排尿に伴う諸器官、粘膜への塩素および塩素化合物刺激を排除した。
【００１０】
新たに健康被害をもたらさない殺菌法として、洗浄水に殺菌効果と健康寄与に貢献するイオン混入法を用いることによって、浄水後に殺菌装置と添加機構を備えた噴水洗浄式便座とした。
【００１１】
肛門周辺或いは女性においては外陰部等に噴出する洗浄水中にビタミン類および保湿目的の添加剤の注入口を有することにより、概周辺粘膜質の細胞活性の実施、例えば、銅イオンが粘膜質から吸収され血液中に存在することによって、末端毛細血管の酸素活性は高効率になり末端血行障害等は改善されると共に体内殺菌作用も期待される事を考慮した。
【実施例】
【図１】は、本発明装置の１実施例の全体図である。電気分解法によって銅イ
オン混入洗浄水を使用することを前提としている。
【図２】１０、１５，１６，
１７，１８，２１は、
【図１】３の操作制御ユニットに組み込まれている。また
、
【図２】１４，２０、は
【図１】４の操作パネル内に組み込まれている。
【００１２】
【図１】２は水道管に接続されており、
【図２】１５噴射量制御弁によって通
水量の開閉制御を受けている。
【図２】操作パネル内に組み込まれた
【図２】１
２或いは１３より通水信号を受けると指定された流量の水を、
【図２】１６に送るとともに、水道水中に含まれている塩素成分の除去を行なう。
【図２】１６は
最適な浄水能力を維持するために寿命通水量が定められており、
【図２】１６は概通水量を電気的に積算し、設定通推量に達すると表示灯の点滅を行ない浄水ユニットの交換を使用者に促す。
【００１３】
【図２】１７は高能率加熱ユニットであり、
【図２】２０の設定温度に達する
まで加温のための電流を流し
【図２】１５より供給され
【図２】１６により、塩
素分を除去された水をほぼ瞬間的に
【図２】２０によって設定された設定温度まで上昇させる。
【００１４】
【図２】１８は浄水後加温された洗浄水のＰＨ、ＥＣを測定するための電極、概イオ
ン溶出電極を内蔵し、検出された値は
【図２】２１に伝達され、予めプログラム
された値と一致させるために
【図２】２１は演算結果に基づき
【図２】１８のイオン溶出電極に電圧或いは電流を変化させ供給する。
【００１５】
設定温度と洗浄圧力、イオン濃度を確認した後に、
【図２】１９の噴射ノズル制
御機構は
【図１】５の噴射ノズルを所定の位置まで稼動させ、使用者の設定した温度と圧力で排便、排尿に伴い洗浄すべき位置に洗浄水を噴出させる。
【００１６】
【図１】および
【図２】１０は、外部薬液注入口であり、洗浄水噴射時に例えばビタミン類、痔疾治療薬、保湿薬等を混入噴射できる構造となっており、使用者判断により適時添加可能である。
【００１７】
使用者の自己判断により、洗浄完了と判断された時、
【図１】１４洗浄停止スイ
ッチを押下し
【図２】１５噴射量制御ユニットに停止信号を与えることにより、
上記通水開始時と逆の行程を経て一連の行程を終了する。また、
【図２】１６の浄水ユニットは通水量を記憶しており、能力の低下以前にそのユニットの交換を促す信号を表示灯の点滅或いは鳴動によって、使用者に知らせることができる。
【００１８】
【発明の効果】
上水道によって供給される水道水は、その長い供給過程を見れば、塩素殺菌の効能は充分に認められるが生体に関して言うならば、その副作用は非常に大きな物を感じる。様々な医療薬品の摂取等を見ても、肛門、膣等の粘膜質においては経口摂取よりも粘膜吸収の方が効果が迅速であり、近年の噴水式洗浄便器において有機塩素系の化合物質が体内に吸収されることは、癌の発病、粘膜質破壊による痔疾を含む様々な皮膚疾患の予防等に大きな貢献を果たす物である。また、イオン混入が副作用を伴わない強力な殺菌を可能とするなら、女性においては、外陰部洗浄は性交後等の感染防止に大きく貢献する物である。
【図面の簡単な説明】
【図１】浄水装置を備えた噴水式洗浄便座の全体図である。
【図２】浄水装置を備えた噴水式洗浄便座の概略ブロックダイヤグラムである。
【符号の説明】
１    漏電防止機能付電源ユニット
２    水道配管
３    操作制御ユニット
４    操作パネル
５    噴射ノズル
６    便座本体
７    便座カバー
８    接地線
９    水道管接続アッセンブリ
１０    外部薬液注入口
１１    浄水ユニット交換表示灯
１２    大便洗浄起動スイッチ
１３    女性小便洗浄起動スイッチ
１４    洗浄停止スイッチ
１５    噴射量制御ユニット
１６    脱塩素浄水ユニット
１７    加熱温水ユニット
１８    イオン遊離ユニット
１９    噴射ノズル制御ユニット
２０    加熱温水制御ユニット
２１    ＰＨ、ＥＣ演算、イオン遊離制御ユニット
【図１】
2004239009.tif 000002
【図２】
2004239009.tif 000003